【手続補正書】
【提出日】平成22年8月18日(2010.8.18)
【手続補正１】
【補正対象書類名】明細書
【補正対象項目名】発明の名称
【補正方法】変更
【補正の内容】
【発明の名称】液晶表示装置及び電子機器
【手続補正２】
【補正対象書類名】特許請求の範囲
【補正対象項目名】全文
【補正方法】変更
【補正の内容】
【特許請求の範囲】
【請求項１】
液晶素子を有する第１の画素及び第２の画素と、駆動回路と、第１の配線と、第２の配線と、第３の配線と、第４の配線と、第５の配線と、第６の配線と、を有し、
前記第１の画素は、前記第５の配線を介して前記駆動回路に電気的に接続され、
前記第２の画素は、前記第６の配線を介して前記駆動回路に電気的に接続され、
前記駆動回路は、シフトレジスタを有し、
前記シフトレジスタは、複数のフリップフロップを有し、
前記複数のフリップフロップのうち少なくとも一つは、第１のトランジスタ、第２のトランジスタ、第３のトランジスタ及び第４のトランジスタを有し、
前記第１のトランジスタは、第１端子が前記第１の配線に電気的に接続され、第２端子が前記第２のトランジスタのゲート端子に電気的に接続され、ゲート端子が前記第５の配線に電気的に接続され、
前記第２のトランジスタは、第１端子が前記第３の配線に電気的に接続され、第２端子が前記第６の配線に電気的に接続され、
前記第３のトランジスタは、第１端子が前記第２の配線に電気的に接続され、第２端子が前記第２のトランジスタのゲート端子に電気的に接続され、ゲート端子が前記第４の配線に電気的に接続され、
前記第４のトランジスタは、第１端子が前記第２の配線に電気的に接続され、第２端子が前記第６の配線に電気的に接続され、ゲート端子が前記第４の配線に電気的に接続されていることを特徴とする液晶表示装置。
【請求項２】
液晶素子を有する第１の画素及び第２の画素と、駆動回路と、第１の配線と、第２の配線と、第３の配線と、第４の配線と、第５の配線と、を有し、
前記第１の画素は、前記第５の配線を介して前記駆動回路に電気的に接続され、
前記第２の画素は、前記第１の配線を介して前記駆動回路に電気的に接続され、
前記駆動回路は、シフトレジスタを有し、
前記シフトレジスタは、複数のフリップフロップを有し、
前記複数のフリップフロップのうち少なくとも一つは、第１のトランジスタ、第２のトランジスタ、第３のトランジスタ及び第４のトランジスタを有し、
前記第１のトランジスタは、第１端子が前記第５の配線に電気的に接続され、第２端子が前記第２のトランジスタのゲート端子に電気的に接続され、ゲート端子が前記第５の配線に電気的に接続され、
前記第２のトランジスタは、第１端子が前記第３の配線に電気的に接続され、第２端子が前記第１の配線に電気的に接続され、
前記第３のトランジスタは、第１端子が前記第２のトランジスタのゲート端子に電気的に接続され、第２端子が前記第２の配線に電気的に接続され、ゲート端子が前記第４の配線に電気的に接続され、
前記第４のトランジスタは、第１端子が前記第１の配線に電気的に接続され、第２端子が前記第２の配線に電気的に接続され、ゲート端子が前記第４の配線に電気的に接続されていることを特徴とする液晶表示装置。
【請求項３】
請求項１又は請求項２において、
前記第１のトランジスタ、前記第２のトランジスタ、前記第３のトランジスタ及び前記第４のトランジスタは、ＺｎＯ又はａ−ＩｎＧａＺｎＯを用いたトランジスタであることを特徴とする液晶表示装置。
【請求項４】
液晶素子を有する第１の画素及び第２の画素と、駆動回路と、第１の配線と、第２の配線と、第３の配線と、第４の配線と、第５の配線と、第６の配線と、第７の配線とを有し、
前記第１の画素は、前記第５の配線を介して前記駆動回路に電気的に接続され、
前記第２の画素は、前記第６の配線を介して前記駆動回路に電気的に接続され、
前記駆動回路は、シフトレジスタを有し、
前記シフトレジスタは、複数のフリップフロップを有し、
前記複数のフリップフロップのうち少なくとも一つは、第１のトランジスタ、第２のトランジスタ、第３のトランジスタ、第４のトランジスタ及び第５のトランジスタを有し、
前記第１のトランジスタは、第１端子が前記第１の配線に電気的に接続され、第２端子が前記第２のトランジスタのゲート端子に電気的に接続され、ゲート端子が前記第５の配線に電気的に接続され、
前記第２のトランジスタは、第１端子が前記第３の配線に電気的に接続され、第２端子が前記第６の配線に電気的に接続され、
前記第３のトランジスタは、第１端子が前記第２のトランジスタのゲート端子に電気的に接続され、第２端子が前記第２の配線に電気的に接続され、ゲート端子が前記第４の配線に電気的に接続され、
前記第４のトランジスタは、第１端子が前記第６の配線に電気的に接続され、第２端子が前記第２の配線に電気的に接続され、ゲート端子が前記第４の配線に電気的に接続され、
前記第５のトランジスタは、第１端子が前記第６の配線に電気的に接続され、第２端子が前記第２の配線に電気的に接続され、ゲート端子が前記第７の配線に電気的に接続されていることを特徴とする液晶表示装置。
【請求項５】
液晶素子を有する第１の画素及び第２の画素と、駆動回路と、第１の配線と、第２の配線と、第３の配線と、第４の配線と、第５の配線と、第６の配線と、を有し、
前記第１の画素は、前記第５の配線を介して前記駆動回路に電気的に接続され、
前記第２の画素は、前記第６の配線を介して前記駆動回路に電気的に接続され、
前記駆動回路は、シフトレジスタを有し、
前記シフトレジスタは、複数のフリップフロップを有し、
前記複数のフリップフロップのうち少なくとも一つは、第１のトランジスタと、第２のトランジスタと、第３のトランジスタと、第４のトランジスタと、第５のトランジスタと、を有し、
前記第１のトランジスタは、第１端子が前記第５の配線に電気的に接続され、第２端子が前記第２のトランジスタのゲート端子に電気的に接続され、ゲート端子が前記第５の配線に電気的に接続され、
前記第２のトランジスタは、第１端子が前記第３の配線に電気的に接続され、第２端子が前記第６の配線に電気的に接続され、
前記第３のトランジスタは、第１端子が前記第２の配線に電気的に接続され、第２端子が前記第２のトランジスタのゲート端子に電気的に接続され、ゲート端子が前記第４の配線に電気的に接続され、
前記第４のトランジスタは、第１端子が前記第６の配線に電気的に接続され、第２端子が前記第２の配線に電気的に接続され、ゲート端子が前記第４の配線に電気的に接続され、
前記第５のトランジスタは、第１端子が前記第６の配線に電気的に接続され、第２端子が前記第２の配線に電気的に接続され、ゲート端子が前記第１の配線に電気的に接続されていることを特徴とする液晶表示装置。
【請求項６】
請求項４又は請求項５において、
前記第１のトランジスタ、前記第２のトランジスタ、前記第３のトランジスタ、前記第４のトランジスタ及び前記第５のトランジスタは、ＺｎＯ又はａ−ＩｎＧａＺｎＯを用いたトランジスタであることを特徴とする液晶表示装置。
【請求項７】
液晶素子を有する第１の画素乃至第４の画素と、第１の駆動回路と、第２の駆動回路と、第１の配線と、第２の配線と、第３の配線と、第４の配線と、第５の配線と、第６の配線と、第７の配線と、第８の配線と、第９の配線と、第１０の配線と、を有し、
前記第１の画素は、前記第５の配線を介して前記前記第１の駆動回路に電気的に接続され、
前記第２の画素は、前記第１の配線を介して前記第１の駆動回路に電気的に接続され、
前記第３の画素は、前記第１０の配線を介して前記第２の駆動回路に電気的に接続され、
前記第４の画素は、前記第６の配線を介して前記第２の駆動回路に電気的に接続され、
前記第１の駆動回路は、第１のシフトレジスタを有し、
前記第２の駆動回路は、第２のシフトレジスタを有し、
前記第１のシフトレジスタは、複数の第１のフリップフロップを有し、
前記複数の第１のフリップフロップのうち少なくとも一つは、第１のトランジスタ、第２のトランジスタ、第３のトランジスタ及び第４のトランジスタを有し、
前記第１のトランジスタは、第１端子が前記第５の配線に電気的に接続され、第２端子が前記第２のトランジスタのゲート端子に電気的に接続され、ゲート端子が前記第５の配線に電気的に接続され、
前記第２のトランジスタは、第１端子が前記第３の配線に電気的に接続され、第２端子が前記第１の配線に電気的に接続され、
前記第３のトランジスタは、第１端子が前記第２のトランジスタのゲート端子に電気的に接続され、第２端子が前記第２の配線に電気的に接続され、ゲート端子が前記第４の配線に電気的に接続され、
前記第４のトランジスタは、第１端子が前記第１の配線に電気的に接続され、第２端子が前記第２の配線に電気的に接続され、ゲート端子が前記第４の配線に電気的に接続され、
前記第２のシフトレジスタは、複数の第２のフリップフロップを有し、
前記複数の第２のフリップフロップのうち少なくとも一つは、第５のトランジスタ、第６のトランジスタ、第７のトランジスタ及び第８のトランジスタを有し、
前記第５のトランジスタは、第１端子が前記第１０の配線に電気的に接続され、第２端子が前記第６のトランジスタのゲート端子に電気的に接続され、ゲート端子が前記第１０の配線に電気的に接続され、
前記第６のトランジスタは、第１端子が前記第８の配線に電気的に接続され、第２端子が前記第６の配線に電気的に接続され、
前記第７のトランジスタは、第１端子が前記第６のトランジスタのゲート端子に電気的に接続され、第２端子が前記第７の配線に電気的に接続され、ゲート端子が前記第９の配線に電気的に接続され、
前記第８のトランジスタは、第１端子が前記第６の配線に電気的に接続され、第２端子が前記第７の配線に電気的に接続され、ゲート端子が前記第９の配線に電気的に接続されていることを特徴とする液晶表示装置。
【請求項８】
請求項７において、
前記第１の配線及び前記第６の配線は電気的に接続され、前記第５の配線及び前記第１０の配線は電気的に接続されていることを特徴とする液晶表示装置。
【請求項９】
請求項７又は請求項８において、
前記第１の配線及び前記第６の配線は同一の配線であり、前記第５の配線及び前記第１０の配線は同一の配線であることを特徴とする液晶表示装置。
【請求項１０】
請求項７乃至請求項９のいずれか一項において、
前記第２の配線及び前記第７の配線は電気的に接続され、前記第３の配線及び前記第８の配線は電気的に接続され、前記第４の配線及び前記第９の配線は電気的に接続されていることを特徴とする液晶表示装置。
【請求項１１】
請求項７乃至請求項１０のいずれか一項において、
前記第２の配線及び前記第７の配線は同一の配線であり、前記第３の配線及び前記第８の配線は同一の配線であり、前記第４の配線及び前記第９の配線は同一の配線であることを特徴とする液晶表示装置。
【請求項１２】
請求項７乃至請求項１１のいずれか一項において、
前記第１のトランジスタ、前記第２のトランジスタ、前記第３のトランジスタ、前記第４のトランジスタ、前記第５のトランジスタ、前記第６のトランジスタ、前記第７のトランジスタ及び前記第８のトランジスタは、ＺｎＯ又はａ−ＩｎＧａＺｎＯを用いたトランジスタであることを特徴とする液晶表示装置。
【請求項１３】
液晶素子を有する第１の画素及び第２の画素と、駆動回路と、第１の配線と、第２の配線と、第３の配線と、第４の配線と、第５の配線と、第６の配線と、第７の配線と、を有し、
前記第１の画素は、前記第５の配線を介して前記駆動回路に電気的に接続され、
前記第２の画素は、前記第６の配線を介して前記駆動回路に電気的に接続され、
前記駆動回路は、シフトレジスタを有し、
前記シフトレジスタは、第１のトランジスタと、第２のトランジスタと、第３のトランジスタと、第４のトランジスタと、第５のトランジスタと、第６のトランジスタと、第７のトランジスタと、第８のトランジスタと、第９のトランジスタと、を有し、
前記第１のトランジスタは、第１端子が前記第１の配線に電気的に接続され、第２端子が前記第２のトランジスタのゲート端子に電気的に接続され、ゲート端子が前記第５の配線に電気的に接続され、
前記第２のトランジスタは、第１端子が前記第３の配線に電気的に接続され、第２端子が前記第６の配線に電気的に接続され、
前記第３のトランジスタは、第１端子が前記第２のトランジスタのゲート端子に電気的に接続され、第２端子が前記第２の配線に電気的に接続され、ゲート端子が前記第４の配線に電気的に接続され、
前記第４のトランジスタは、第１端子が前記第６の配線に電気的に接続され、第２端子が前記第２の配線に電気的に接続され、ゲート端子が前記第４の配線に電気的に接続され、
前記第５のトランジスタは、第１端子が前記第６の配線に電気的に接続され、第２端子が前記第２の配線に電気的に接続され、ゲート端子が前記第７の配線に電気的に接続され、
前記第６のトランジスタは、第１端子が前記第８のトランジスタのゲート端子に電気的に接続され、第２端子が前記第２の配線に電気的に接続され、ゲート端子が前記第２のトランジスタのゲート端子に電気的に接続され、
前記第７のトランジスタは、第１端子が前記第１の配線に電気的に接続され、第２端子が前記第８のトランジスタのゲート端子に電気的に接続され、ゲート端子が前記第１の配線に電気的に接続され、
前記第８のトランジスタは、第１端子が前記第３の配線に電気的に接続され、第２端子が前記第９のトランジスタのゲート端子に電気的に接続され、
前記第９のトランジスタは、第１端子が前記第６の配線に電気的に接続され、第２端子が前記第２の配線に電気的に接続されていることを特徴とする液晶表示装置。
【請求項１４】
請求項１３において、
前記第１のトランジスタ、前記第２のトランジスタ、前記第３のトランジスタ、前記第４のトランジスタ、前記第５のトランジスタ、前記第６のトランジスタ、前記第７のトランジスタ、前記第８のトランジスタ及び前記第９のトランジスタは、ＺｎＯ又はａ−ＩｎＧａＺｎＯを用いたトランジスタであることを特徴とする液晶表示装置。
【請求項１５】
請求項１乃至請求項１４のいずれか一項において、
前記第１の画素が選択される期間の一部と、前記第２の画素が選択される期間の一部とは、重なっていることを特徴とする液晶表示装置。
【請求項１６】
請求項１乃至請求項１５のいずれか一項に記載の液晶表示装置を具備する電子機器。